(57)【要約】【課題】  この衣類は軽い運動に、保温機能、血行促進機能および筋肉保護機能を兼ね備えた脚部を有する衣類を提供する。【解決手段】  脚部を有する衣類１００は、腹部１５、臀部１７を含み腰部を収容するパンツ部１０と、パンツ部に連結し、大腿部５１、膝部５３、下腿部５５を収容する脚部５０とを備えており、パンツ部の腰部の側部から、脚部の大腿収容部にかけて第１の伸縮強化部２０Ａを形成し、下腿収容部に第２の伸縮強化部２０Ｂを形成し、該第１、第２の伸縮強化部は保温機能・伸縮機能を有する本体生地に吸湿・速乾機能、伸縮機能を有する本体生地より伸縮性の強い伸縮性生地２５０を裏打ちして構成される。【選択図】      図２
2005248389.tif 000002
【特許請求の範囲】
【請求項１】
腹部、臀部を含む腰部を収容するパンツ部と、パンツ部に連続的に連なる少なくとも大腿部を収容する脚部とを備える伸縮性本体生地よりなる衣類であって、
パンツ部の腰収容部の側部から、脚部の大腿収容部にかけて伸縮強化部を有し、該伸縮強化部は前記本体生地に伸縮性を強化する生地を裏打ちして構成されることを特徴とする脚部を有する衣類。
【請求項２】
腹部、臀部を含む腰部を収容するパンツ部と、パンツ部に連続的に連なる少なくとも大腿部、膝部及び下腿部を収容する脚部とを備える伸縮性本体生地よりなる衣類であって、
パンツ部の腰収容部の側部から、脚部の大腿収容部にかけて第１の伸縮強化部を有し、下腿収容部に第２の伸縮強化部を有し、第１、第２の伸縮強化部は前記本体生地に伸縮性を強化する生地を裏打ちして構成されることを特徴とする脚部を有する衣類。
【発明の詳細な説明】
【技術分野】
【０００１】
本発明は脚部を有する衣類、例えばスパッツ、アンダーパンツ（下着用パンツ）に関し、特に軽度の運動時に着用するスポーツ用スパッツ、アンダーパンツに関する。
【背景技術】
【０００２】
各種のスポーツや歩行運動などに、血行促進機能を有する下着を着用したり、激しく伸縮する筋肉のサポートをするサポーター等の着用がなされていた。しかし、冬場の野外での軽いスポーツ、例えばゴルフ・歩行運動時のような比較的運動量の少ない場合防寒のための衣服を着用しなければならない。通常、防寒用の衣服は嵩だかく、厚みのある衣服が多く、動きずらいものであった。また、筋肉保護のため、例えば肘、足首などにサポーターを装着した場合、その箇所が外衣にひびき、見苦しかった。
そこで、サポーター、テーピング機能を持たせた下半身用被服が、下記特許文献１、特許文献２、特許文献３に開示されている。
【特許文献１】特公平６―４１６４１号公報
【特許文献２】特許第３０１２８１９号公報
【特許文献３】特開２００１―２１４３０３号公報
【発明の開示】
【発明が解決しようとする課題】
【０００３】
しかし、上記の特許文献に開示されているものは、所望する機能を引き出すために伸縮布を細かい範囲で縫い合わせて下半身全体を伸縮布で被覆しており、軽い運動では締め付ける必要ない場所まで強力に圧迫する構成となっている。さらに、製作工数が多大であり、伸縮強度が強く衣服の着脱が困難であった。また、保温機能を要求するものではなかった。
そこで、この衣類は身体の動きを必要以上に制限することなく、適度に締め付けて常に一定の緊張を生じさせることにより、当該部分の血行を促進すると共に、被覆される箇所の動きを意識しやすくさせ、スポーツ時の動きの改善を促すことができる軽い運動に適した脚部を有する着脱容易な衣類を提供するものである。
【課題を解決するための手段】
【０００４】
本発明の脚部を有する衣類は、腹部、臀部を収容するパンツ部と、パンツ部に連続的に連なる少なくとも大腿部を収容する脚部とを備えた伸縮性を有する本体生地より製造される衣類であって、パンツ部の腰部収容部の側部から、脚部の大腿収容部にかけて伸縮強化部を有する。該伸縮強化部は伸縮性を有する編生地（本体生地）に、該編生地より強い伸縮性を有する伸縮強化生地を裏打ちして構成することにより上記課題を解決する。
また、本発明の脚部を有する衣類は、腹部、臀部を含む腰部を収容するパンツ部と、パンツ部に連続的に連なる少なくとも大腿部、膝部及び下腿部を収容する脚部とを備える伸縮性素材により製造される衣類であって、パンツ部の腰部の側部から、脚部の大腿収容部にかけて第１の伸縮強化部を、下腿収容部に第２の伸縮強化部をそれぞれ形成し、該伸縮強化部は本体生地に該編生地より強い伸縮性を有する伸縮強化生地を裏打ちして構成されることにより上記課題を解決する。
【発明の効果】
【０００５】
上記構成を有する脚部を有する衣類は、保湿、着心地の良い衣類であって、伸縮強化部は身体の動きを必要以上に制限することなく、適度に締め付けることにより常に一定の緊張が生じ、当該部分の血行を促進するとともに、被覆される箇所の動きが意識しやすくなり、スポーツ時の動きの改善を促すことが可能となる。従って、軽い運動、特にゴルフ用衣類としての着用に適している。
【発明を実施するための最良の形態】
【０００６】
以下、本発明を実施するための最良の形態を、図面を参照して詳細に説明する。
【実施例１】
【０００７】
図１は本発明の脚部を有する衣類の正面図とその背面図、図２は衣類を裏返した状態での正面図とその背面図、図３は衣類を裏返した状態での側面図である。
【０００８】
脚部を有する衣類１００は、腰部を収容するパンツ部１０と、下肢を収容する脚部５０とが連続的に連なっており、上端はウエストラインに、下端は足首に位置する。
パンツ部１０は腹部１５と臀部１７を充当する部分とウエストライン１１とからなり各部を連結して腰部を被覆する。脚部５０は大腿部分を被覆する大腿収容部５１、膝部分を被覆する膝部５３、下腿部分を被覆する下腿収容部５５を連続的に連結している。
【０００９】
また、脚部を有する衣類１００は、伸縮強化生地２５０が、少なくとも中殿筋、腸脛靱帯の一部を被覆するパンツ部１０側方から、少なくとも内側広筋、外側広筋肉、半腱様、大腿二頭筋、薄筋、縫工筋の一部を被覆する大腿収容部５１に裏打ちされている。この伸縮強化生地裏打ち部を第１の伸縮強化部２０Ａと称する。更に伸縮強化生地２５０は少なくとも腓腹筋、ヒラメ筋の一部を被覆する下腿収容部５５に裏打ちされている。そして、この部分を第２の伸縮強化部２０Ｂと称する。
【００１０】
好ましくは、脚部を有する衣類１００は、第１の伸縮強化部２０Ａが中殿筋及び腸脛靱帯の一部を被覆するパンツ部１０側方から、内側広筋、外側広筋肉、半腱様筋、大腿二頭筋、薄筋及び縫工筋の一部を被覆する大腿収容部５１に形成され、第２の伸縮強化部２０Ｂが腓腹筋及びヒラメ筋の一部を被覆する下腿収容部５５に形成されている形態が望ましい。
【００１１】
脚部を有する衣類１００は伸縮性を有する編生地（本体生地２００）で構成されている。例えば、アクリルとキュプラで構成される紡績糸（商品名：サーモギア（商標）、品番：ＦＢ６４Ｎ、番手：１／６４）と、ポリウレタン糸（商品名：ライクラ（商標）、品番：Ｓ１８７０−７８Ｋ  ｔｅｘ：２０ｄｔｅｘ）とを用いてフライス編みで編成されている。当該編生地の構成は、アクリル７６％、キュプラ１９％、ポリウレタン５％となっている。
この本体生地２００は伸縮性に富み、かつ保湿機能を有する。すなわち、サーモギアはキュプラの吸湿性、発熱特性を生かすようにアクリルと組み合わせることにより、糸に沢山の空気を含ませることができ、温熱保持性が向上する。さらに、キュプラは吸湿性により余分な湿度を外に逃し、衣類と肌との間の湿度を調整して温かくかつ爽やかな着心地が得られる。
【００１２】
伸縮強化生地２５０は、ナイロン糸をエア交絡により紡糸したソフトスパンライク糸（商品名：ナチュレーヌ（商標）、品番：０５０３６１ＲＨＴ、ｔｅｘ：５０ｄｔｅｘ）と、ポリウレタン糸（商品名：ライクラ（商標）、品番：Ｔ−１５３Ｃ、ｔｅｘ：４４ｄｔｅｘ）とを用いて天竺編みで編成されている。当該伸縮強化生地の構成は、ナイロン７４％、ポリウレタン２６％となっている。
この伸縮強化生地は、薄地で柔軟性があり、表面が滑らかで肌触りが良好である。
【００１３】
次に伸縮強化部２０の構成を図４を参照して説明する。
伸縮強化部２０は、伸縮強化生地２５０と本体生地２００とを接着させて構成される。例えば、ポリアミド系樹脂よりなる接着芯地２１（例えば、日本バイリーン社製、ＥＦ１５芯地）を本体生地２００と伸縮強化生地２５０との間に挟持し、１３０〜１４０℃、圧力２５０〜４００ｇ／ｍ２の条件下に、１０〜１５秒間保持し、十分に熱融着させる。その後、伸縮強化部２０の端縁を平２本針縫いにより、縫製加工仕上げを行い、編生地２００と伸縮強化生地２５０とを一体化仕上げする。この平２本針縫いによる縫製加工は、振り糸にストレッチ糸を使用することにより、縫製箇所の伸縮強化部の伸縮に追従し、縫製ライン３０がスッキリと仕上がる。
【００１４】
ここで、本体生地・伸縮強化生地・伸縮強化部における定伸長弾性率（％）、５０％伸長応力（Ｎ）を試験し、結果を下記の表に示す。
試験方法  ＪＩＳ  Ｌ−１０１８Ａ法  カットストリップ法（定伸長時伸長力）
テンシロン万能試験機ＭＯＤＥＬ２５０（ＯＲＩＥＮＴＥＣ  ＣＯＲＰＯＲＡＴＩＯＮ製）
試料  巾５０ｃｍ×長さ３０ｃｍ（つかみ間の距離２０ｃｍ）
引張速度  １０ｃｍ／ｍｉｎ：初加重  ２９ｍＮ（３ｇｆ）
定伸長弾性率とは、繰り返しの引張りに対しての耐性（残留伸び％）、伸長応力とは元の長さに対し、一定の伸長（例えば今回の試験は５０％伸長）時の応力である。
【００１５】
【表１】
2005248389.tif 000003
この試験結果が示すように、伸縮強化部の定伸長弾性率、すなわち複数回の伸長に対する残留伸び率は、本体生地および伸縮性を有する伸縮強化生地１枚ごとの定伸長弾性率に比較し低く、度重なる伸長に対して復元性があることがわかる。また、伸長応力は本体生地および伸縮強化生地１枚ごとの伸長応力に比較して格段に高く、本体生地に伸縮強化生地を重合することにより、強い弾性を有することがわかる。
【００１６】
本体生地部及び伸縮強化部は、複数回の使用においても、本願発明の効果が発現し得るために、定伸長弾性率（ＪＩＳ  Ｌ−１０１８Ａ法による。以下同じ。）は８５％以上、好ましくは９０％以上である。
また、本体生地の５０％伸長応力（ＪＩＳ  Ｌ−１０１８Ａ法による。以下同じ。）は好ましくは２〜４Ｎ、更に好ましくは２．５〜３．５Ｎであり、伸縮強化生地の５０％伸長応力は好ましくは６〜９Ｎ、更に好ましくは７〜８Ｎである。当該範囲内であれば、身体の動きに対する追従性が高く、身体の動きが不必要に制限されることがない。
そして、本体生地の５０％伸長応力を１とした時に、伸縮強化部の５０％伸長応力は、２〜３の範囲、より好ましくは２．３〜２．７の範囲にあることが好ましい。当該範囲内であれば、適度な締め付けが働き、当該被覆部分の筋肉の動きに対する意識付けが行いやすい。
【００１７】
このように構成される脚部を有する衣類１００は、着用したときに本体生地に裏打ちされた伸縮性強化生地が肌に接触するに際し、該生地が有する肌触り、滑りの良さ、及び良好な吸湿性、発汗性により運動時においても着心地の良い状態を維持する。また、伸縮強化部は弾性が強く、中殿筋、腸脛靱帯から、少なくとも内側広筋、外側広筋肉、半腱様筋、大腿二頭筋、薄筋、縫工筋の一部、および少なくとも腓腹筋、ヒラメ筋の一部を適度に締め付け、着用者の血行を促進し、疲労感が軽減される。更に身体の動きを必要以上に制限することなく、適度に締め付けることにより、伸縮強化部に常に一定の緊張が生じ、当該部分に被覆される箇所の動きが意識しやすくなり、スポーツ時の動きの改善を促すことが可能である。
【００１８】
従って、軽度の運動時に着用するスポーツ用スパッツ、アンダーパンツとして好適に用いることができる。特に、ゴルフ用スパッツ、アンダーパンツとして好適に用いることができる。例えば、ゴルフでは体の内部の動きが大切であり、また根気よく理想のスイングイメージを作って練習することが大事である。アドレスからテイクバック、スクエアと一連の動きに対し、脚部の位置（スタンス）、腰の捻りが重要であるが、本発明においては、腰部、および大腿部分、膝下に常に緊張を持たせることにより、理想のゴルフフォームとされる椅子に着座した如きスタンスでの腰の捻りへの意識づけが容易になし得るものである。
【実施例２】
【００１９】
本発明の他の実施例として、膝上丈のスパッツ、アンダーショーツが挙げられる。
この実施例に示す脚部を有する衣類６００は、腰部を収容するパンツ部６０と、大腿部を収容する脚部６５が連続的に連なっており、上端はウエストライン６１に、下端６３は膝上に位置する。パンツ部６０は腹部６２と臀部６４を充当する部分とウエストライン６１とからなり各部を連結して、パンツ部６０は腰部を被覆し、脚部６５は大腿部分を被覆する。
この実施例に示す脚部を有する衣類６００は実施例１に記載する本体生地で構成される。
【００２０】
また、脚部を有する衣類６００には、実施例１で用いた本体生地により伸縮性を強化した伸縮強化生地２５０が裏打ちされている。伸縮強化生地２５０は少なくとも中殿筋、腸脛靱帯の一部を被覆するパンツ部６０の側方から、少なくとも内側広筋、外側広筋肉、半腱様筋、大腿二頭筋、薄筋、縫工筋の一部を被覆する脚部（大腿収容部）６５に裏打ちされており、この部分を伸縮強化部７０と称する。
【００２１】
好ましくは、伸縮強化部７０として伸縮強化生地２５０が、中殿筋及び腸脛靱帯の一部を被覆するパンツ部６０の側方から、内側広筋、外側広筋肉、半腱様筋、大腿二頭筋、薄筋及び縫工筋の一部を被覆する脚部（大腿収容部）６５に裏打ちされていることが望ましい。
ここで、伸縮強化部７０の構成も実施例１と同様に本体生地、伸縮強化生地を接着芯地で接着し、その端縁を平２本針縫いにより仕上げ伸縮性を損なわないように重合している。
【００２２】
このように構成される脚部を有する衣類６００は、脚部が膝上までの着丈であるので暑苦しくなく、脚部の動きが容易となる。また、大腿部の膝上までの脚部は大腿部を適度に緊締し上半身の動きによりずり上がることがない。さらに、着用したときに本体生地に裏打ちされた伸縮性生地が肌に接触するに際し、伸縮性生地が有する肌触り、滑りの良さ、及び良好な吸湿性、発汗性により運動時においても着心地の良く、伸縮強化部は弾性が強く、適度な締め付けを有しており、着用者の血行が促進され、疲労感が軽減される。更に腰や上肢部分の動きを必要以上に制限することなく、伸縮強化部が中殿筋及び腸脛靱帯、内側広筋、外側広筋肉、半腱様筋、大腿二頭筋、薄筋及び縫工筋の一部に一定の緊張を生じさせ、この部分の動きが意識しやすくなり、スポーツ時の動きの改善を促すことができる。
【００２３】
このようにこの実施例で示す膝上までの脚部を有する衣類は、軽度の運動時に着用するスポーツ用（例えばゴルフなど）膝上丈スパッツ、アンダーパンツとして好適に用いることができる。例えば、ゴルフではスタンス、腰の捻りが大切であるが、腰部、および大腿部分に適度な締め付けによる緊張を持たせることにより、理想のゴルフフォームへの意識づけが容易になし得るものである。
【００２４】
以上説明したように、本発明の保温性を有する脚部を有する衣類は衣類の裏側の腰部分の側部から大腿部との間、あるいは下腿部に、薄手の伸縮性を有する柔軟性の生地を接着して伸縮強化部を形成しているので、寒い時期における野外での軽い運動に対し、その動きを必要以上に制限することなく、適度に締め付けることにより伸縮強化部当接部分を意識しやすくする。その結果、腰側部、および下腿部における動きに意識的に緊張を持たせることができる。さらに保温機能、血行促進機能および筋肉保護機能を発揮できる。また、伸縮生地を所望する箇所に接着するのみで保温効果、伸縮強化効果を有する衣類を作成でき、製作が簡単となる。さらに、脚部を膝上丈とする、あるいは屈伸運動の激しい膝部分には伸縮強化部を設けていないので、屈伸運動を阻害することなく自由な運動が可能となる。また、腹部や臀部は過度の締め付けがなく着心地良好であって、着脱も容易にできる。
【図面の簡単な説明】
【００２５】
【図１】本発明に係る実施例１の正面、背面図。
【図２】図１の裏面の正面、背面図。
【図３】裏面側面図。
【図４】伸縮強化部の断面図。
【図５】本発明に係る実施例２の正面、背面図。
【図６】図５の裏面の正面、背面図。
【図７】実施例２の裏面側面図。
【符号の説明】
【００２６】
１０、６０  パンツ部
１１、６１  ウエストライン
１５、６２  腹部
１７、６４  臀部
２０、７０  伸縮強化部
２０Ａ  第１の伸縮強化部
２０Ｂ  第２の伸縮強化部
２１  接着芯地
５０、６５  脚部
５１  大腿収容部
５３  膝部
５５  下腿収容部
２００  本体生地
２５０  伸縮性生地
【図１】
2005248389.tif 000004
【図２】
2005248389.tif 000005
【図３】
2005248389.tif 000006
【図４】
2005248389.tif 000007
【図５】
2005248389.tif 000008
【図６】
2005248389.tif 000009
【図７】
2005248389.tif 000010